【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
入力手段としてのタッチパネル部を備えた表示部と、
前記タッチパネル部に対する手書き入力に応じた情報を表示画面に表示させる表示制御手段と、
前記手書き入力に応じた情報を記憶する記憶手段とを備えたナビゲーション装置において、
前記表示制御手段が、前記手書き入力に応じた情報を、使用者により登録されたメモリ地点に対応させて表示させるものであることを特徴とするナビゲーション装置。
【請求項２】
前記手書き入力に応じた情報が、前記メモリ地点のマ−ク及び／又はマ−ク名であることを特徴とする請求項１記載のナビゲーション装置。
【請求項３】
前記メモリ地点の地図座標と、前記手書き入力に応じた情報とを関連付けて前記記憶手段に記憶させる記憶制御手段を備えていることを特徴とする請求項１又は請求項２記載のナビゲ−ション装置。
【請求項４】
前記表示制御手段が、前記地図座標を含む地図を表示する場合に、前記記憶手段に前記地図座標と関連付けて記憶されている手書き入力に応じた情報を地図上に表示させるものであることを特徴とする請求項１〜３のいずれかの項に記載のナビゲ−ション装置。
【請求項５】
入力手段としてのタッチパネル部を備えた表示部と、
前記タッチパネル部に対する手書き入力に応じた情報を表示画面に表示させる表示制御手段と、
前記手書き入力に応じた情報を記憶する記憶手段とを備えたナビゲーション装置において、
使用者により登録されたメモリ地点の地図座標と、前記手書き入力に応じた情報とを関連付けて前記記憶手段に記憶させる記憶制御手段とを備え、
前記表示制御手段が、地図を表示する場合に、前記手書き入力に応じた情報が記憶されている地点を識別可能に表示させ、該地点に対する入力が検出された場合に、該地点の地図座標と関連付けて記憶されている手書き入力に応じた情報を地図上に表示させるものであることを特徴とするナビゲ−ション装置。
【請求項６】
少なくともいずれか一方に入力手段としてのタッチパネル部を備えた第１及び第２の表示部と、
前記タッチパネル部に対する手書き入力に応じた情報を表示画面に表示させる第１の表示制御手段と、
前記手書き入力に応じた情報を記憶する記憶手段と、
一方の表示部のタッチパネル部に対する手書き入力に応じた情報を含む転送情報を他方の表示部に転送して表示させる第２の表示制御手段とを備えていることを特徴とするナビゲ−ション装置。
【請求項７】
前記第２の表示制御手段が、前記他方の表示部の表示画面に前記転送情報を受信したことを示す転送表示釦を表示させ、
該転送表示釦に対する入力が検出された場合に、前記一方の表示部のタッチパネル部に対する手書き入力に応じた情報を前記他方の表示部の表示画面に表示させるものであることを特徴とする請求項６記載のナビゲ−ション装置。
【請求項８】
外部との通信を行うための通信手段が接続され、
前記タッチパネル部に対する手書き入力に応じた情報を前記通信手段を介して他のナビゲ−ション装置に送信する送信制御と、前記他のナビゲ−ション装置から前記通信手段を介して受信する手書き入力に応じた情報の受信制御とを行う通信制御手段と、
前記通信手段を介して受信した前記手書き入力に応じた情報を前記表示画面に表示させる第３の表示制御手段とを備えていることを特徴とする請求項１〜７のいずれかの項に記載のナビゲ−ション装置。
【請求項９】
前記第３の表示制御手段が、前記他のナビゲ−ション装置から送信されてくる前記手書き入力に応じた情報の受信があった場合に、前記表示画面に前記手書き入力に応じた情報の受信があったことを示す受信釦を表示させ、
該受信釦に対する入力が検出された場合に、前記受信した手書き入力に応じた情報を表示させるものであることを特徴とする請求項８記載のナビゲ−ション装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
【課題を解決するための手段及びその効果】
上記目的を達成するために本発明に係るナビゲ−ション装置（１）は、入力手
段としてのタッチパネル部を備えた表示部と、前記タッチパネル部に対する手書
き入力に応じた情報を表示画面に表示させる表示制御手段と、前記手書き入力に
応じた情報を記憶する記憶手段とを備えたナビゲーション装置において、前記表
示制御手段が、前記手書き入力に応じた情報を、使用者により登録されたメモリ
地点に対応させて表示させるものであることを特徴としている。
上記ナビゲ−ション装置（１）によれば、前記メモリ地点にメモしておきたい
情報を前記タッチパネル部を介して手書きで簡単に入力でき、入力された手書き
入力に応じた情報が、前記記憶手段に記憶され、前記メモリ地点に対応させて表
示されるので、使用者は、手書き入力に応じた情報を画面上で参照することがで
き、前記タッチパネル部の利用用途を広げて、使用者にとって、さらに便利で、
使い勝手が良いものとすることができる。
また本発明に係るナビゲ−ション装置（２）は、上記ナビゲ−ション装置（１
）において、前記手書き入力に応じた情報が、前記メモリ地点のマ−ク及び／又
はマ−ク名であることを特徴としている。
【手続補正７】
【補正対象書類名】明細書
【補正対象項目名】００１２
【補正方法】変更
【補正の内容】
【００１２】
上記ナビゲ−ション装置（２）によれば、使用者が、前記メモリ地点のマ−ク
及び／又はマ−ク名を手書きで入力した図形や文字を使って自由に登録すること
ができ、前記メモリ地点のマ−ク登録を簡単に行うことができる。また、前記メ
モリ地点を含む地図を表示する場合に、該メモリ地点に前記マ−ク及び／又はマ
−ク名が表示されるので、使用者は、マ−ク登録した地点を容易に把握すること
ができる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
また本発明に係るナビゲ−ション装置（３）は、上記ナビゲ−ション装置（１
）又は（２）において、前記メモリ地点の地図座標と、前記手書き入力に応じた
情報とを関連付けて前記記憶手段に記憶させる記憶制御手段を備えていることを
特徴としている。
【手続補正１１】
【補正対象書類名】明細書
【補正対象項目名】００１６
【補正方法】変更
【補正の内容】
【００１６】
上記ナビゲ−ション装置（３）によれば、前記メモリ地点の地図座標と、前記
手書き入力に応じた情報とを関連付けて前記記憶手段に記憶するので、前記地図
座標地点に記憶させておきたい情報を記憶させておくことができ、前記地図座標
に基づいて、前記情報を読み出すことができ、前記情報を地図表示する場合に利
用することができる。
【手続補正１２】
【補正対象書類名】明細書
【補正対象項目名】００１７
【補正方法】変更
【補正の内容】
【００１７】
また本発明に係るナビゲ−ション装置（４）は、上記ナビゲ−ション装置（１
）〜（３）のいずれかにおいて、前記表示制御手段が、前記地図座標を含む地図
を表示する場合に、前記記憶手段に前記地図座標と関連付けて記憶されている手
書き入力に応じた情報を地図上に表示させるものであることを特徴としている。
【手続補正１３】
【補正対象書類名】明細書
【補正対象項目名】００１８
【補正方法】変更
【補正の内容】
【００１８】
上記ナビゲ−ション装置（４）によれば、前記地図座標を含む地図を表示させ
る場合、前記記憶手段に前記地図座標と関連付けて記憶されている手書き入力に
応じた情報が地図上に表示されるので、使用者は、前記地図座標地点に記憶させ
ておいた情報を参照することができる。
【手続補正１４】
【補正対象書類名】明細書
【補正対象項目名】００１９
【補正方法】変更
【補正の内容】
【００１９】
また本発明に係るナビゲ−ション装置（５）は、入力手段としてのタッチパネ
ル部を備えた表示部と、前記タッチパネル部に対する手書き入力に応じた情報を
表示画面に表示させる表示制御手段と、前記手書き入力に応じた情報を記憶する
記憶手段とを備えたナビゲーション装置において、使用者により登録されたメモ
リ地点の地図座標と、前記手書き入力に応じた情報とを関連付けて前記記憶手段
に記憶させる記憶制御手段とを備え、前記表示制御手段が、地図を表示する場合
に、前記手書き入力に応じた情報が記憶されている地点を識別可能に表示させ、
該地点に対する入力が検出された場合に、該地点の地図座標と関連付けて記憶さ
れている手書き入力に応じた情報を地図上に表示させるものであることを特徴と
している。
【手続補正１５】
【補正対象書類名】明細書
【補正対象項目名】００２０
【補正方法】変更
【補正の内容】
【００２０】
上記ナビゲ−ション装置（５）によれば、地図を表示させる場合、前記手書き
入力に応じた情報が記憶されている地点が識別可能に表示される。例えば、面積
をあまりとらない手書情報釦を表示することで、現在表示されている地図画面の
表示が見えにくくなることを防ぐことができ、また、前記手書き入力に応じた情
報が記憶されている地点を使用者に確実に把握させることができる。そして、前
記地点に対する入力が検出されると、該地点の地図座標と関連付けて記憶されて
いる手書き入力に応じた情報が地図上に表示されるので、使用者は、前記情報を
必要に応じて見たい時に確認することができる。
【手続補正１６】
【補正対象書類名】明細書
【補正対象項目名】００２１
【補正方法】変更
【補正の内容】
【００２１】
また本発明に係るナビゲ−ション装置（６）は、少なくともいずれか一方に入
力手段としてのタッチパネル部を備えた第１及び第２の表示部と、前記タッチパ
ネル部に対する手書き入力に応じた情報を表示画面に表示させる第１の表示制御
手段と、前記手書き入力に応じた情報を記憶する記憶手段と、一方の表示部のタ
ッチパネル部に対する手書き入力に応じた情報を含む転送情報を他方の表示部に
転送して表示させる第２の表示制御手段とを備えていることを特徴としている。
【手続補正１７】
【補正対象書類名】明細書
【補正対象項目名】００２２
【補正方法】変更
【補正の内容】
【００２２】
上記ナビゲ−ション装置（６）によれば、前記一方の表示部のタッチパネル部
に対する手書き入力に応じた情報を、前記他方の表示部の表示画面に表示させる
ことができ、視覚的に分かりやすい情報を提供することで異なる表示部を使用す
る使用者間のコミュニケ−ションの向上を図ることができる。
【手続補正１８】
【補正対象書類名】明細書
【補正対象項目名】００２３
【補正方法】変更
【補正の内容】
【００２３】
また本発明に係るナビゲ−ション装置（７）は、上記ナビゲ−ション装置（６
）において、前記第２の表示制御手段が、前記他方の表示部の表示画面に前記転
送情報を受信したことを示す転送表示釦を表示させ、該転送表示釦に対する入力
が検出された場合に、前記一方の表示部のタッチパネル部に対する手書き入力に
応じた情報を前記他方の表示部の表示画面に表示させるものであることを特徴と
している。
【手続補正１９】
【補正対象書類名】明細書
【補正対象項目名】００２４
【補正方法】変更
【補正の内容】
【００２４】
上記ナビゲ−ション装置（７）によれば、前記他方の表示部の表示画面に前記
転送情報を受信したことを示す転送表示釦が表示されるので、前記一方の表示部
からの前記転送情報が転送されてきたことを、現在表示している画面の表示状態
を妨げることなく表示して、前記他方の表示部の使用者に把握させることができ
る。また、前記転送表示釦に対する入力が検出された場合に、前記一方の表示部
のタッチパネル部に対する手書き入力に応じた情報が前記他方の表示部の表示画
面に表示させるので、前記他方の表示部の使用者に前記情報を簡単に確認させる
ことができる。
【手続補正２０】
【補正対象書類名】明細書
【補正対象項目名】００２５
【補正方法】変更
【補正の内容】
【００２５】
また本発明に係るナビゲ−ション装置（８）は、上記ナビゲ−ション装置（１
）〜（７）のいずれかにおいて、外部との通信を行うための通信手段が接続され
、前記タッチパネル部に対する手書き入力に応じた情報を前記通信手段を介して
他のナビゲ−ション装置に送信する送信制御と、前記他のナビゲ−ション装置か
ら前記通信手段を介して受信する手書き入力に応じた情報の受信制御とを行う通
信制御手段と、前記通信手段を介して受信した前記手書き入力に応じた情報を前
記表示画面に表示させる第３の表示制御手段とを備えていることを特徴としてい
る。
【手続補正２１】
【補正対象書類名】明細書
【補正対象項目名】００２６
【補正方法】変更
【補正の内容】
【００２６】
上記ナビゲ−ション装置（８）によれば、前記タッチパネル部に対する手書き
入力に応じた情報を前記通信手段を介して前記他のナビゲ−ション装置に送信す
ることができ、また、前記通信手段を介して受信した、前記他のナビゲ−ション
装置からの前記手書き入力に応じた情報を前記表示画面に表示させることができ
、視覚的に分かりやすい情報を提供することで、異なる複数のナビゲ−ション装
置を利用している使用者間におけるコミュニケ−ションの向上を図ることができ
る。
【手続補正２２】
【補正対象書類名】明細書
【補正対象項目名】００２７
【補正方法】変更
【補正の内容】
【００２７】
また本発明に係るナビゲ−ション装置（９）は、上記ナビゲ−ション装置（８
）において、前記第３の表示制御手段が、前記他のナビゲ−ション装置から送信
されてくる前記手書き入力に応じた情報の受信があった場合に、前記表示画面に
前記手書き入力に応じた情報の受信があったことを示す受信釦を表示させ、該受
信釦に対する入力が検出された場合に、前記受信した手書き入力に応じた情報を
表示させるものであることを特徴としている。
【手続補正２３】
【補正対象書類名】明細書
【補正対象項目名】００２８
【補正方法】変更
【補正の内容】
【００２８】
上記ナビゲ−ション装置（９）によれば、前記他のナビゲ−ション装置から送
信されてくる前記手書き入力に応じた情報を受信した場合には、前記受信釦が表
示されるので、前記他のナビゲ−ション装置から送信されてきた前記情報を受信
したことを、現在表示されている画面の表示状態が妨げられることなく、使用者
に把握させることができる。そして、前記受信釦に対する入力が検出されると、
前記受信した手書き入力に応じた情報が表示されるので、使用者は、前記手書き
入力に応じた情報を簡単に確認することができる。